(57)【要約】【課題】簡素な構造で２つのスピーカが同一面を構成して上下に並べて取付可能とする。【解決手段】壁取付金具１７において、壁２３又はポールに取り付けられる固定板部２５と、固定板部２５から垂直に突出する支持板部２７と、支持板部２７の上縁から切り欠かれ下端が下段スピーカ用上穴部４５となる下段スピーカ用引掛溝２９と、下段スピーカ用上穴部４５より下方で固定板部２５に近接して位置する下段スピーカ用下穴部３１と、支持板部２７の上縁から切り欠かれ下端が上段スピーカ用上穴部４９となる上段スピーカ用引掛溝３３と、下段スピーカ用上穴部４５と下段スピーカ用下穴部３１を通る第１前傾直線と平行な第２前傾直線の線上に位置し下段スピーカ用上穴部４５と下段スピーカ用下穴部３１と同一の穴中心間距離で上段スピーカ用上穴部４９の下方に位置する上段スピーカ用下穴部３５と、を設けた。【選択図】図６
2016122986.tif 000002
【特許請求の範囲】
【請求項１】
壁又はポールと平行に取り付けられる固定板部と、
前記固定板部から垂直に突出して上下方向に延在する支持板部と、
前記支持板部の上縁から切り欠かれ、下端が下段スピーカ用上穴部となる下段スピーカ用引掛溝と、
前記支持板部に穿設され、前記下段スピーカ用上穴部より下方で且つ前記固定板部に近接して位置する下段スピーカ用下穴部と、
前記支持板部の上縁から切り欠かれ、下端が上段スピーカ用上穴部となり前記下段スピーカ用引掛溝を挟んで前記固定板部の反対側に位置する上段スピーカ用引掛溝と、
前記下段スピーカ用上穴部と前記下段スピーカ用下穴部との双方の穴中心が第１前傾直線の線上に位置し、前記上段スピーカ用上穴部の穴中心を通り前記第１前傾直線と平行な第２前傾直線の線上に位置し且つ前記下段スピーカ用上穴部と前記下段スピーカ用下穴部と同一の穴中心間距離で前記上段スピーカ用上穴部の下方に位置する上段スピーカ用下穴部と、を備える、
壁取付金具。
【請求項２】
請求項１に記載の壁取付金具と、
スピーカを上下方向から挟持して固定する一対の上固定腕部及び下固定腕部が背面板の上下端から延出してコ字形状に形成され、前記背面板から前記スピーカと反対側に突出し且つ前記壁又は前記ポールと垂直となって上下方向に延在する突出縦板部に、前記下段スピーカ用上穴部及び前記下段スピーカ用下穴部、又は前記上段スピーカ用上穴部及び前記上段スピーカ用下穴部が螺着される少なくとも一対の螺着穴を有するスピーカ取付金具と、を備える、
取付金具。
【請求項３】
請求項２に記載の一対の取付金具と、
一対の前記スピーカと、を備える、
取付金具付きスピーカ。
【発明の詳細な説明】
【技術分野】
【０００１】
本発明は、壁取付金具、取付金具、及び取付金具付きスピーカに関する。
【背景技術】
【０００２】
大型スピーカの取付金具は、例えば壁や天井に固定されるスピーカを聴取者に向くように角度をつけてネジ止めしている。この種の取付金具として、例えば特許文献１にスピーカ取付装置が開示されている。図７は、従来のスピーカ取付装置５０１の斜視図である。図７に示すように、このスピーカ取付装置５０１は、壁５０３に取り付けられる固定金具５０５と、スピーカ５０７に取り付けられる取付金具５０９とからなる。固定金具５０５は、足金５１１と、台板５１３と、固定側ブラケット５１５とにより構成される。固定側ブラケット５１５には、上縁に開口し、この開口から円弧状に切り欠いた切欠溝５１７が開設される。台板５１３には、下端縁を折り曲げて突出した折曲部５１９が形成される。折曲部５１９には、横方向に複数の長穴（図示略）が開設されている。
【０００３】
一方、取付金具５０９は、側面視がＬ字状に折曲形成され、スピーカ５０７と反対側の背面に取付側ブラケット５２１が固定されている。取付金具５０９の下端縁には、折曲部５２３が形成されており、この折曲部５２３から下方に突出した突片（図示略）が設けられている。取付金具５０９の突片は、固定金具５０５の長穴に嵌め込むことによって、ヒンジ機構が形成される。
【０００４】
このスピーカ取付装置５０１を用いてスピーカ５０７を壁５０３に取り付けるには、固定金具５０５を壁５０３に取り付ける。また、スピーカ５０７の背面には、取付金具５０９を取り付ける。次いで、スピーカ５０７を持ち上げて、取付金具５０９の突片を、固定金具５０５の長穴に嵌め込む。次いで、切欠溝５１７と取付側ブラケット５２１にボルト５２５を挿通する。スピーカ５０７を前後に傾けると、固定金具５０５に対する取付金具５０９の傾斜角度が変化するので、所望の角度になったときにボルト５２５を締め付けて取付金具５０９を固定側ブラケット５１５に固定する。これにより、スピーカ５０７は、所望の傾斜角度で壁５０３に取り付けられる。
【先行技術文献】
【特許文献】
【０００５】
【特許文献１】特開平２−１５１１９８号公報
【発明の概要】
【発明が解決しようとする課題】
【０００６】
しかし、従来のスピーカ取付装置５０１は、固定側ブラケット５１５と取付側ブラケット５２１とを係合して傾斜角度を可変するため、装置全体が複雑となり、大型となって重量も大きくなる。また、高所において重量の大きなスピーカ５０７を前後に傾けて傾斜調整しながら、取付金具５０９と固定側ブラケット５１５をボルト固定する作業は、煩雑であり、安全性を低下させる可能性がある。更に、大音響が要求される場合には、２つのスピーカ５０７を上下に並べて取り付ける等の工夫がなされる。この際、２つのスピーカ５０７は、音響特性（例えば音の位相ずれがないこと）を考慮して、聴取者に対して同一面を構成して取り付けられる必要がある。このような場合には、従来のスピーカ取付装置５０１を複数、簡易に取り付けることが困難であった。
【０００７】
本発明は、上記状況に鑑みて案出され、簡素な構造で且つ簡単な取付作業で、２つのスピーカが同一面を構成して上下に並べて取付可能となる壁取付金具、取付金具、及び取付金具付きスピーカを提供することを目的とする。
【課題を解決するための手段】
【０００８】
本発明は、壁又はポールと平行に取り付けられる固定板部と、前記固定板部から垂直に突出して上下方向に延在する支持板部と、前記支持板部の上縁から切り欠かれ、下端が下段スピーカ用上穴部となる下段スピーカ用引掛溝と、前記支持板部に穿設され、前記下段スピーカ用上穴部より下方で且つ前記固定板部に近接して位置する下段スピーカ用下穴部と、前記支持板部の上縁から切り欠かれ、下端が上段スピーカ用上穴部となり前記下段スピーカ用引掛溝を挟んで前記固定板部の反対側に位置する上段スピーカ用引掛溝と、前記下段スピーカ用上穴部と前記下段スピーカ用下穴部との双方の穴中心が第１前傾直線の線上に位置し、前記上段スピーカ用上穴部の穴中心を通り前記第１前傾直線と平行な第２前傾直線の線上に位置し且つ前記下段スピーカ用上穴部と前記下段スピーカ用下穴部と同一の穴中心間距離で前記上段スピーカ用上穴部の下方に位置する上段スピーカ用下穴部と、を備える、壁取付金具である。
【０００９】
また、本発明は、壁取付金具と、前記スピーカを上下方向から挟持して固定する一対の上固定腕部及び下固定腕部が背面板の上下端から延出してコ字形状に形成され、前記背面板から前記スピーカと反対側に突出し且つ前記壁又は前記ポールと垂直となって上下方向に延在する突出縦板部に、前記下段スピーカ用上穴部及び前記下段スピーカ用下穴部、又は前記上段スピーカ用上穴部及び前記上段スピーカ用下穴部が螺着される少なくとも一対の螺着穴を有するスピーカ取付金具と、を備える、取付金具である。
【００１０】
また、本発明は、一対の取付金具と、一対の前記スピーカと、を備える、取付金具付きスピーカである。
【発明の効果】
【００１１】
本発明に係る壁取付金具によれば、簡素な構造で且つ簡単な取付作業で２つのスピーカが同一面を構成して上下に並べて取付可能となる。
【００１２】
本発明に係る取付金具によれば、簡素な構造で且つ簡単な取付作業で２つのスピーカを、同一面を構成して上下に並べて取り付けできる。
【００１３】
本発明に係る取付金具付きスピーカによれば、別途取付金具を購入せずに、簡単な取付作業で、音のずれがないように２つのスピーカを聴取者に対して同一面を構成して上下に並べて取り付けできる。
【図面の簡単な説明】
【００１４】
【図１】本実施形態の取付金具付きスピーカの斜視図
【図２】図１に示すスピーカ、スピーカ取付金具、及び壁取付金具の分解斜視図
【図３】図２に示す壁取付金具の側面図
【図４】図３に示す壁取付金具を右方向から見た背面図
【図５】図２に示すスピーカ取付金具の斜視図
【図６】壁に取り付けられた取付金具付きスピーカの側面図
【図７】従来のスピーカ取付装置の斜視図
【発明を実施するための形態】
【００１５】
以下、本発明に係る壁取付金具、取付金具、及び取付金具付きスピーカを具体的に開示した実施形態（以下、「本実施形態」という）について、図面を参照して説明する。
【００１６】
図１は、本実施形態の取付金具付きスピーカの斜視図である。本実施形態の取付金具付きスピーカ１１は、一対のスピーカ１３と、一対の取付金具１５とからなる。スピーカ１３は、大音響の要求に応じて、少なくとも２つ上下に並べて取り付けられる。即ち、２つのスピーカ１３のそれぞれに、取付金具１５が付属品として使用される。取付金具１５は、壁取付金具１７と、スピーカ取付金具１９とからなる。
【００１７】
図２は、図１に示すスピーカ、スピーカ取付金具、及び壁取付金具の分解斜視図である。スピーカ１３には、スピーカ取付金具１９が締結具（ボルト２１やネジ）によって固定される。スピーカ１３に固定されるスピーカ取付金具１９は、ボルト２１によって壁取付金具１７に固定される。スピーカ取付金具１９を介してスピーカ１３を支持する壁取付金具１７は、平面（例えば壁２３（図６参照））に固定される。
【００１８】
図３は、図２に示す壁取付金具の側面図である。図４は、図３に示す壁取付金具を右方向から見た背面図である。壁取付金具１７は、固定板部２５と、支持板部２７と、下段スピーカ用引掛溝２９と、下段スピーカ用下穴部３１と、上段スピーカ用引掛溝３３と、上段スピーカ用下穴部３５とを有する。壁取付金具１７は、平面視において、平行な一対の支持板部２７が固定板部２５の両側から折り曲げられて、同方向に突出したコ字状に形成される。固定板部２５には、壁固定時に使用される固定ビス（図示略）の挿通される複数（図例では４つ）の壁固定穴３７が穿設される。壁取付金具１７は、壁固定穴３７に通された固定ビスが壁２３に固定されることで、固定板部２５が壁２３に平行となって取り付けられる。
【００１９】
支持板部２７は、固定板部２５から垂直に突出して上下方向に延在する。従って、壁２３に取り付けられた壁取付金具１７は、壁面から垂直に、一対の平行な支持板部２７が突出した状態となる。なお、それぞれの支持板部２７の折り曲げ側の基部には、バンド挿通穴３９が上下一対で形成されている。壁取付金具１７は、それぞれの支持板部２７の上側のバンド挿通穴３９と、下側のバンド挿通穴３９に通した２本のバンド（図示略）をポール（図示略）に巻くことで、ポールにも取り付けできるようになっている。このため、固定板部２５の背面には、ポールに沿って上下方向に延在するずれ防止用の縦溝４１が凹設されている。なお、バンド挿通穴３９に形成される半円切欠部４３は、バンドに設けられる係止爪部（図示略）を通過させるためのものである。
【００２０】
それぞれの支持板部２７には、下段スピーカ用引掛溝２９が形成されている。それぞれの支持板部２７は、同一の構成を有するので、一方の支持板部２７のみについて説明を行い、他方の支持板部２７についてはその説明を省略する。下段スピーカ用引掛溝２９は、支持板部２７の上縁から下方に向かって切り欠かれる。下段スピーカ用引掛溝２９の下端は、Ｊ字状に屈曲する。Ｊ字状の屈曲は、ボルト２１の仮固定時に、ボルト２１を下段スピーカ用引掛溝２９から飛び出し（外れ）にくくする。この下端は、下段スピーカ用上穴部４５となる。下段スピーカ用上穴部４５は、スピーカ取付金具１９を固定するためのボルト２１の直径と略同一の内径で形成される。下段スピーカ用上穴部４５は、下段スピーカ用引掛溝２９に接続することで内周円が開放した穴となっている。
【００２１】
下段スピーカ用下穴部３１は、下段スピーカ用上穴部４５より下方で且つ固定板部２５に近接する位置で支持板部２７に穿設される。本実施形態において、下段スピーカ用下穴部３１は、下段スピーカ用長穴４７の一部分となる。下段スピーカ用長穴４７は、短軸側がボルト２１の直径と略同一の内径で形成される。下段スピーカ用下穴部３１は、下段スピーカ用長穴４７の図３に示す右端側となる。下段スピーカ用長穴４７は、取付金具付きスピーカ１１の取り付け誤差を吸収するために、ボルト２１を長軸方向に移動可能としている。
【００２２】
上段スピーカ用引掛溝３３は、支持板部２７の上縁から下方に向かって切り欠かれる。上段スピーカ用引掛溝３３は、下段スピーカ用引掛溝２９を挟んで固定板部２５の反対側に位置する。上段スピーカ用引掛溝３３の下端は、Ｊ字状に屈曲する。Ｊ字状の屈曲は、ボルト２１の仮固定時に、ボルト２１を上段スピーカ用引掛溝３３から飛び出し（外れ）にくくする。この下端は、上段スピーカ用上穴部４９となる。上段スピーカ用上穴部４９は、スピーカ取付金具１９を固定するためのボルト２１の直径と略同一の内径で形成される。上段スピーカ用上穴部４９は、上段スピーカ用引掛溝３３に接続することで内周円が開放した穴となっている。
【００２３】
上段スピーカ用上穴部４９は、下段スピーカ用上穴部４５の位置と同一高さ、或いはそれよりも低くても高くてもよい。本実施形態において、上段スピーカ用上穴部４９は、下段スピーカ用上穴部４５の位置よりも高い位置に形成されている。上段スピーカ用上穴部４９と下段スピーカ用上穴部４５との位置を高さ方向にずらせば、下段スピーカ用引掛溝２９のＪ字状の屈曲が上段スピーカ用引掛溝３３に近接しなくなる。これにより、壁取付金具１７は、支持板部２７の強度を高め、小型に形成することができる。
【００２４】
上段スピーカ用下穴部３５は、上段スピーカ用上穴部４９の下方に位置する。ここで、下段スピーカ用上穴部４５と、下段スピーカ用下穴部３１との双方の穴中心が、図３に示す第１前傾直線５１の線上に位置するとする。このとき、上段スピーカ用下穴部３５は、上段スピーカ用上穴部４９の穴中心を通り第１前傾直線５１と平行な第２前傾直線５３の線上に位置する。また、上段スピーカ用下穴部３５は、下段スピーカ用上穴部４５と下段スピーカ用下穴部３１と同一の穴中心間距離で、上段スピーカ用上穴部４９の下方に位置する。
【００２５】
本実施形態において、上段スピーカ用下穴部３５は、上段スピーカ用長穴５５の一部分となる。上段スピーカ用長穴５５は、短軸側がボルト２１の直径と略同一の内径で形成される。上段スピーカ用下穴部３５は、上段スピーカ用長穴５５の左端側となる。上段スピーカ用長穴５５は、取付金具付きスピーカ１１の取り付け誤差を吸収するため、及び上側のスピーカ１３の前傾角度を大きく調整可能とするため、ボルト２１を長軸方向に移動可能としている。
【００２６】
図５は、図２に示すスピーカ取付金具の斜視図である。スピーカ取付金具１９は、スピーカ１３を上下方向から挟持して固定する一対の上固定腕部５７及び下固定腕部５９が、背面板６１の上下端から延出して側面視コ字形状に形成される。上固定腕部５７及び下固定腕部５９の先端には、ボルト２１が挿通されるスピーカ固定用穴６３が穿設されている。スピーカ固定用穴６３に挿通されたボルト２１は、スピーカ１３の上面及び下面に設けられた図２に示すボルト螺着板６５に螺着される。
【００２７】
また、スピーカ取付金具１９は、突出縦板部６７を有する。本実施形態において、突出縦板部６７は、背面板６１の両側から一対のものが平行となってスピーカ１３と反対側へ突出する。なお、それぞれの突出縦板部６７は、同一の構成を有するので、一方の突出縦板部６７のみについて説明を行い、他方の突出縦板部６７についてはその説明を省略する。突出縦板部６７は、背面板６１からスピーカ１３と反対側に突出し、且つ壁２３又はポールと垂直となって上下方向に延在する。
【００２８】
突出縦板部６７には、少なくとも一対の螺着穴６９が、上下方向に離間して形成される。本実施形態では、４つの螺着穴６９が等間隔で形成される。隣接する螺着穴同士の間隔は、下段スピーカ用上穴部４５と下段スピーカ用下穴部３１との穴中心間距離、或いは、上段スピーカ用上穴部４９と上段スピーカ用下穴部３５との穴中心間距離と同一に設定されている。これにより、突出縦板部６７には、下段スピーカ用上穴部４５及び下段スピーカ用下穴部３１、又は上段スピーカ用上穴部４９及び上段スピーカ用下穴部３５が、ボルト２１によって螺着可能となっている。
【００２９】
螺着穴６９は、透孔であっても、雌ネジが形成されるネジ穴の何れであってもよい。透孔の場合には、螺着にはボルト２１とナットが使用される。ネジ穴の場合には、ボルト２１が直接螺合可能となる。
【００３０】
なお、本実施形態において、スピーカ取付金具１９の突出縦板部６７は、４つの螺着穴６９を備えている。従って、スピーカ取付金具１９は、壁取付金具１７に対して第１前傾直線５１、或いは、第２前傾直線５３に沿う方向に移動して取り付け位置を変えることができる。これにより、取付金具１５は、スピーカ１３の前面を同一面７１（図６参照）としながら、高さＨ（図６参照）の異なる複数種類のスピーカ１３の取り付けを可能にしている。
【００３１】
また、スピーカ取付金具１９の突出縦板部６７には、上下一対のバンド挿通穴３９が形成されている。これにより、例えばスピーカ１３がポールに取り付けられる場合、スピーカ取付金具１９も直接、バンドによってポールに固定できるようになっている。なお、バンド挿通穴３９においても上記同様の半円切欠部４３が形成されている。
【００３２】
次に、取付金具付きスピーカ１１のスピーカ取り付け手順を説明する。
【００３３】
取付金具付きスピーカ１１を壁２３に取り付けるには、先ず、壁２３に、所定の高さで下側の壁取付金具１７を固定ビスによって固定する。次いで、上側の壁取付金具１７を所定の間隔をあけて下側の壁取付金具１７の上方に、固定ビスによって固定する。下側の壁取付金具１７と、上側の壁取付金具１７との間隔は、取り付けられるスピーカ１３の高さによって予め設定される。
【００３４】
次に、２つのスピーカ１３のそれぞれに、スピーカ取付金具１９を固定する。スピーカ取付金具１９は、上固定腕部５７をスピーカ１３の上面にボルト２１を用いて固定し、下固定腕部５９をスピーカ１３の下面にボルト２１を用いて固定する。
【００３５】
次に、例えば下側のスピーカ１３を取り付ける場合、図２に示すように、下側のスピーカ１３に固定したスピーカ取付金具１９の所定の螺着穴６９（図例では上から２つめの螺着穴６９）に、ボルト２１を仮螺合する。ボルト２１は、両側の突出縦板部６７から外側に頭部が突出するように仮螺合する。
【００３６】
この状態のスピーカ１３を持ち上げ、壁２３に固定されている下側の壁取付金具１７の下段スピーカ用引掛溝２９に、ボルト２１の軸部を上方から挿入する。一対の突出縦板部６７は、一対の支持板部２７の間に挟まれて配置される。この状態で、下側のスピーカ１３は、両側の突出縦板部６７から突出したボルト２１が支持板部２７の下段スピーカ用上穴部４５に入り、壁取付金具１７に仮支持される。従って、作業者は、スピーカ１３を手で支える必要がなくなり、両手が解放される。
【００３７】
従来のスピーカ取付装置は、スピーカを支えながら、切欠溝と取付側ブラケットにボルトを挿通し、傾斜角度を所望の角度に調整しながら、ボルトを締め付けて、取付金具を固定側ブラケットに固定する必要があった。このため、高所においては危険を伴う作業となった。これに対し、取付金具１５によれば、壁取付金具１７にスピーカ１３を仮支持して、両手が解放されるので、取り付け作業を安全に行うことができる。
【００３８】
仮支持されたボルト２１は、下段スピーカ用引掛溝２９のＪ字状の屈曲に形成された下段スピーカ用上穴部４５に入り込むことで、壁取付金具１７から容易には上方へ移動して外れなくなる。
【００３９】
次いで、上段スピーカ用上穴部４９に支持されるボルト２１を中心にスピーカ１３を回転し、突出縦板部６７の螺着穴６９（上から３つめの螺着穴６９）と、下段スピーカ用下穴部３１とを一致させ、双方の穴にボルト２１を挿通する。
【００４０】
次に、図３に示すように、突出縦板部６７の螺着穴６９と、下段スピーカ用下穴部３１に挿通したボルト２１を、下段スピーカ用長穴４７の固定板部側（右端）となる位置に寄せて本締めして固定する。その後、下段スピーカ用上穴部４５から突出している仮支持のボルト２１を本締めして固定する。これにより、取付金具１５を用いた下側のスピーカ１３の壁２３への取り付けが完了する。
【００４１】
次に、上側のスピーカ１３を取り付ける。上側のスピーカ１３を取り付ける場合には、壁２３に固定されている上側の壁取付金具１７の上段スピーカ用引掛溝３３に、両側の突出縦板部６７から突出するボルト２１の軸部を上方から挿入する。この状態で、上側のスピーカ１３は、両側の突出縦板部６７から突出したボルト２１が支持板部２７の上段スピーカ用上穴部４９に入り、壁取付金具１７に仮支持される。仮支持用のボルト２１は、上段スピーカ用引掛溝３３のＪ字状の屈曲に形成された上段スピーカ用上穴部４９に配置されることで、上記同様に壁取付金具１７から外れにくくなる。
【００４２】
次に、スピーカ１３を上段スピーカ用上穴部４９に支持されるボルト２１を中心に回転し、突出縦板部６７の螺着穴６９と、上段スピーカ用下穴部３５とを一致させ、双方の穴にボルト２１を挿通する。
【００４３】
次に、図３に示すように、突出縦板部６７の螺着穴６９と、上段スピーカ用下穴部３５に挿通したボルト２１を、上段スピーカ用長穴５５の反固定板部端（左端）となる位置に寄せて、本締めして固定する。その後、上段スピーカ用上穴部４９から突出している仮支持用のボルト２１を本締めして固定する。これにより、図６に示すように、取付金具１５を用いた下側のスピーカ１３と、上側のスピーカ１３の壁２３への取り付けが完了する。
【００４４】
なお、取付金具付きスピーカ１１をポールに取り付ける場合は、壁取付金具１７がバンドによってポールに固定される以外、上記と同様の手順となる。
【００４５】
次に、上記した取付金具付きスピーカの構成による作用を説明する。
【００４６】
図６は、壁に取り付けられた取付金具付きスピーカの側面図である。本実施形態の壁取付金具１７では、第１前傾直線５１の線上に、下段スピーカ用上穴部４５及び下段スピーカ用下穴部３１が位置し、第１前傾直線５１と平行な第２前傾直線５３の線上に、上段スピーカ用上穴部４９及び上段スピーカ用下穴部３５が位置する。
【００４７】
従って、壁取付金具１７は、２つを上下一対で用いることにより、下側の壁取付金具１７の下段スピーカ用上穴部４５及び下段スピーカ用下穴部３１を利用して取り付けられる下側のスピーカ１３と、上側の壁取付金具１７の上段スピーカ用上穴部４９及び上段スピーカ用下穴部３５を利用して取り付けられる上側のスピーカ１３とが図６に示す同一面７１を構成して取付可能となる。
【００４８】
なお、２つのスピーカ１３は、奥行きＤ（図６参照）が同一でなくてもよい。２つのスピーカ１３の奥行きＤが同一でない場合には、２つのスピーカ１３の前面が同一面７１を構成するように、第１前傾直線５１と第２前傾直線５３の離間距離が設定される。
【００４９】
そして、本実施形態の取付金具１５では、上側のスピーカ１３と、下側のスピーカ１３のそれぞれにスピーカ取付金具１９が取り付けられる。スピーカ取付金具１９は、突出縦板部６７に、少なくとも上下一対（即ち、２つ）の螺着穴６９を有する。下側のスピーカ１３に取り付けられたスピーカ取付金具１９の突出縦板部６７の螺着穴６９には、例えば壁２３に上下一対で固定された下側の壁取付金具１７の下段スピーカ用上穴部４５及び下段スピーカ用下穴部３１が螺着される。
【００５０】
また、上側のスピーカ１３に取り付けられたスピーカ取付金具１９の突出縦板部６７の螺着穴６９には、壁２３に上下一対で固定された上側の壁取付金具１７の上段スピーカ用上穴部４９及び上段スピーカ用下穴部３５が螺着される。つまり、壁取付金具１７とスピーカ取付金具１９とを１組としてなる取付金具１５は、２組みを上下一対（１組を上側、他の１組を下側）で用いることにより、下側のスピーカ１３と上側のスピーカ１３とが、同一面７１を構成して上下に並べて取り付けられる。
【００５１】
また、本実施形態の取付金具付きスピーカ１１では、２つのスピーカ１３のそれぞれに対し、スピーカ取付金具１９と壁取付金具１７とからなる取付金具１５が付属する。この２組の取付金具１５は、壁取付金具１７の穴位置を選択的に使用することで、下側のスピーカ用と上側のスピーカ用に使用が可能となる。これにより、取付金具付きスピーカ１１は、別途取付金具を用意せずに、下側のスピーカ１３と上側のスピーカ１３とを、同一面７１を構成して上下に並べて容易に取り付けることができる。
【００５２】
従って、本実施形態の壁取付金具１７によれば、簡素な構造で且つ簡単な取付作業で２つのスピーカ１３が同一面７１を構成して上下に並べて取付可能となる。
【００５３】
また、本実施形態の取付金具１５によれば、簡素な構造で且つ簡単な取付作業で２つのスピーカ１３を、同一面７１を構成して上下に並べて取り付けできる。
【００５４】
また、本実施形態の取付金具付きスピーカ１１によれば、別途取付金具を購入せずに、簡単な取付作業で、音のずれがないように２つのスピーカ１３を聴取者に対して同一面７１を構成して上下に並べて取り付けできる。
【００５５】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【産業上の利用可能性】
【００５６】
本発明は、簡素な構造で且つ簡単な取付作業で、２つのスピーカが同一面を構成して上下に並べて取付可能となる壁取付金具、取付金具、及び取付金具付きスピーカとして有用である。
【符号の説明】
【００５７】
１１  取付金具付きスピーカ
１３  スピーカ
１５  取付金具
１７  壁取付金具
１９  スピーカ取付金具
２３  壁
２５  固定板部
２７  支持板部
２９  下段スピーカ用引掛溝
３１  下段スピーカ用下穴部
３３  上段スピーカ用引掛溝
３５  上段スピーカ用下穴部
４５  下段スピーカ用上穴部
４９  上段スピーカ用上穴部
５１  第１前傾直線
５３  第２前傾直線
５７  上固定腕部
５９  下固定腕部
６１  背面板
６７  突出縦板部
６９  螺着穴 
【図１】
2016122986.tif 000003
【図２】
2016122986.tif 000004
【図３】
2016122986.tif 000005
【図４】
2016122986.tif 000006
【図５】
2016122986.tif 000007
【図６】
2016122986.tif 000008
【図７】
2016122986.tif 000009